(57)【要約】【課題】車両用カウルルーバにおいて、車両衝突時に反力を殆ど発生させずに衝突エネルギーを吸収でき、十分なシール性を有し、外観に制約を受けずに意匠的にも優れること。【解決手段】車両用カウルルーバ１は、意匠部分４及び機能部分５の二つの部分から構成されている。通常時には、機能部分５の前端部分（中実部分５ａと発泡部分５ｂ）、シール部材７、及び機能部分５の底面に係合したカウル８によって、エンジンルーム内と外部とを遮断するシール性が保持されている。車両の衝突時にフードパネル２の後端及び車両用カウルルーバ１の上面（意匠部分４）に下方向に応力Ｆが掛かると、強度的に中実部分５ａより遥かに劣る発泡部分５ｂが容易に変形して破壊され、殆ど反力を生ずることがない。弱体化部位を有する機能部分５が意匠部分４で覆われているため、弱体化部位を設ける方法について限定されず、機能部分５の外観を気にすることなく設計できる。【選択図】図１
2011073566.tif 000002
【特許請求の範囲】
【請求項１】
車体のフードパネルの後端下部とフロントウィンドウガラスの下端との間に設けられる車両用カウルルーバであって、
前記車両用カウルルーバは、前記車体の衝突時に応力が掛かると破壊される弱体化部位を含んで設けられた機能部分と、該機能部分の上方に該機能部分を覆うように設けられた意匠部分とを具備し、
前記機能部分は、通常時にはエンジンルーム内と外部とを遮断するシール性を保持し、前記車体の衝突時には前記弱体化部位の一部または全部が破壊されることを特徴とする車両用カウルルーバ。
【請求項２】
前記機能部分の前記弱体化部位は、前記フードパネルの後端下部及び前記意匠部分の下部に位置していることを特徴とする請求項１に記載の車両用カウルルーバ。
【請求項３】
前記機能部分は有機合成樹脂からなり、前記弱体化部位は発泡部分、薄肉部分、Ｖ字形状部分の少なくとも１つで構成されていることを特徴とする請求項１または請求項２に記載の車両用カウルルーバ。
【請求項４】
前記機能部分と前記意匠部分の間に空隙が設けられていることを特徴とする請求項１乃至請求項３のいずれか１つに記載の車両用カウルルーバ。
【請求項５】
前記意匠部分には前記空隙側に尖端を有する突起が設けられていることを特徴とする請求項４に記載の車両用カウルルーバ。
【請求項６】
前記機能部分は前記意匠部分の下に少なくとも１つの尖端が設けられるように屈曲していることを特徴とする請求項４に記載の車両用カウルルーバ。
【請求項７】
前記機能部分には１または２以上の開口部が設けられ、該開口部にはシール性を保持するように蓋部材が嵌め込まれ、該蓋部材は前記車体の衝突時には前記開口部から外れることを特徴とする請求項１または請求項２に記載の車両用カウルルーバ。
【発明の詳細な説明】
【技術分野】
【０００１】
本発明は、自動車等の車両のフロントウィンドウガラスの下端に嵌合してフードパネルの後端裏側まで延出する車両用カウルルーバに関するものであり、特に、車両の衝突時にフードパネルに加わる衝突エネルギーを効果的に吸収することができるとともに、意匠的にも優れた外観を有する車両用カウルルーバに関するものである。
【背景技術】
【０００２】
従来の自動車の構造においては、エンジンルームを覆うフードパネルの後端とフロントウィンドウガラスの下端部分との間には空間が形成されており、この空間は、フロントウィンドウガラスの下端に嵌合してフードパネルの後端裏側まで延出する樹脂製のカウルルーバによって遮蔽されている。これによって、エンジンルーム内の熱気や臭いがカウルルーバに設けられた空気導入口を介して車室内へ侵入することが防止されるとともに、前記空間に溜まった枯葉や雪等の異物がエンジンルーム内に侵入することが防止され、またエンジンルームが被水する事態も防止される。
【０００３】
このように、カウルルーバには気体と固体と液体の全てを遮断する機能が要求されるため、全体的にある程度の剛性が必要で、かつ先端部分には相手方に密着する弾力性が必要であることから、合成樹脂製のカウルルーバが用いられてきた。しかし、合成樹脂製のカウルルーバは、あまり剛性が高過ぎると、車両の衝突時にフードへ下向きの大きな荷重が加わった際、フードが下方へ移動し難くなって、衝突エネルギーを十分に吸収できなくなる。
【０００４】
そこで、このような問題を解決することを目的として、特許文献１には、フードの後端とカウルトップとの間の空間を遮蔽する自動車フードのシール構造の発明が開示されている。この自動車フードのシール構造においては、フードの後端から空間に向けて、形状保持可能な剛性を有し、かつ先端がカウルトップと上下方向で干渉しない位置関係にあるシール本体を形成し、シール本体の先端またはカウルトップのいずれか一方に、先端が他方側へ接触する弾性変形可能なリップを設けている。これによって、車両衝突時にフードに下向きの荷重が加わると、フードはシール本体ごと反力を発生させることなく下方へ移動し、衝突エネルギーを十分に吸収することができるとしている。
【０００５】
また、特許文献２に記載されたカウルトップカバーの発明においては、硬質部材からなるカウルルーバ本体部の前端に、フードパネルからの衝撃を緩和する軟質部材からなる縦壁を一体に設けて、縦壁から本体部側に延長する延長部を設けるとともに、縦壁の本体側と延長部または本体側前端部とを接続する補強リブを設けている。これによって、平常時の自立性を十分に確保しつつ、フードパネルが衝撃を受けた際にはその衝撃を有効に緩和することができるとしている。
【先行技術文献】
【特許文献】
【０００６】
【特許文献１】特開２００５−２４７１８６号公報
【特許文献２】特開２００７−０１５６０９号公報
【発明の概要】
【発明が解決しようとする課題】
【０００７】
しかしながら、上記特許文献１に記載の技術においては、剛性を有するシール本体と弾性変形可能なリップとを異なる樹脂材料で成形する必要があり、構造が複雑になるばかりでなく、特に複雑な断面形状を有する場合にはシール性が十分でなく、エンジンルームが被水する恐れがあり、車両衝突時における衝突エネルギーの緩和性も不十分である。また、上記特許文献２に記載の技術においては、衝突時の反力を完全になくすことは不可能であり、やはりシール性が十分でなく、エンジンルームが被水する恐れがあり、複雑な断面形状にも対応できない。
【０００８】
更に、上記特許文献１・特許文献２のいずれにおいても、フードパネルに加わった衝撃を緩和することのみを意図しており、フードパネルとフロントウィンドウガラスの間のカウルルーバ自体に加わった衝撃は、緩和することができない。加えて、カウルルーバは、フロントワイパーの駆動モータ等を外部から見えないようにして意匠的にも優れたものとするという役割をも有するにも関わらず、カウルルーバに衝突エネルギーの緩和性を持たせる必要性から、カウルルーバの外観に制約を受けるという問題点があった
【０００９】
そこで、本発明は、かかる課題を解決するためになされたものであって、車両衝突時にフードパネル等に下向きの荷重が加わった場合に、反力を殆ど発生させることなく衝突エネルギーを十分に吸収でき、複雑な断面形状を有する場合にも十分なシール性を有するとともに、外観に制約を受けることなく意匠的にも優れた車両用カウルルーバを提供することを目的とするものである。
【課題を解決するための手段】
【００１０】
請求項１の発明に係る車両用カウルルーバは、車体のフードパネルの後端下部とフロントウィンドウガラスの下端との間に設けられる車両用カウルルーバであって、前記車両用カウルルーバは、前記車体の衝突時に応力が掛かると破壊される弱体化部位を含んで設けられた機能部分と、該機能部分の上方に該機能部分を覆うように設けられた意匠部分とを具備し、前記機能部分は、通常時にはエンジンルーム内と外部とを遮断するシール性を保持し、前記車体の衝突時には前記弱体化部位の一部または全部が破壊されるものである。
【００１１】
ここで、「弱体化部位」の形成方法としては、合成樹脂を成形することによって発泡等の強度的に劣る部位とすることもでき、応力を受けると直ちに外れる部材を嵌め込んでも良く、予め発泡成形した合成樹脂プレートを金型にセットしてインサート成形することもできる。また、機能部分と意匠部分とは、単に機能部分の上に意匠部分が載置された状態で組み立てられても良いし、機能部分と意匠部分の前端及び後端において、互いに溶着されて固定されても良いし、予め設けられた嵌合部材によって互いに嵌合して固定されても良い。
【００１２】
請求項２の発明に係る車両用カウルルーバは、請求項１の構成において、前記機能部分の前記弱体化部位は、前記フードパネルの後端下部及び前記意匠部分の下部に位置しているものである。
【００１３】
請求項３の発明に係る車両用カウルルーバは、請求項１または請求項２の構成において、前記機能部分は合成樹脂からなり、前記弱体化部位は発泡部分、薄肉部分、Ｖ字形状部分の少なくとも１つで構成されているものである。
【００１４】
ここで、「合成樹脂」とは、熱可塑性樹脂及び熱硬化性樹脂を意味するものであり、熱可塑性樹脂としては、ポリオレフィン樹脂（ポリエチレン、ポリプロピレン、等）・ポリスチレン・アクリル樹脂（メタクリル樹脂を含む）・ＡＢＳ樹脂・塩化ビニル樹脂・ポリ酢酸ビニル・ポリテトラフルオロエチレン（ＰＴＦＥ）・ポリアミド・ポリアセタール・ポリカーボネート・ポリエステル樹脂等があり、熱硬化性樹脂としては、フェノール樹脂・エポキシ樹脂・メラミン樹脂・尿素樹脂・不飽和ポリエステル樹脂・アルキド樹脂・ポリウレタン・熱硬化性ポリイミド等がある。
【００１５】
請求項４の発明に係る車両用カウルルーバは、請求項１乃至請求項３のいずれか１つの構成において、前記機能部分と前記意匠部分の間に空隙が設けられているものである。
【００１６】
請求項５の発明に係る車両用カウルルーバは、請求項４の構成において、前記意匠部分には前記空隙側に尖端を有する突起が設けられているものである。
【００１７】
請求項６の発明に係る車両用カウルルーバは、請求項４の構成において、前記機能部分は前記意匠部分の下に少なくとも１つの尖端が設けられるように屈曲しているものである。
【００１８】
請求項７の発明に係る車両用カウルルーバは、請求項１または請求項２の構成において、前記機能部分には１または２以上の開口部が設けられ、該開口部にはシール性を保持するように蓋部材が嵌め込まれ、該蓋部材は前記車体の衝突時には前記開口部から外れるものである。
【発明の効果】
【００１９】
請求項１に係る発明においては、車両用カウルルーバが、車体の衝突時に応力が掛かると破壊される弱体化部位を含んで設けられた機能部分と、その上方に機能部分を覆うように設けられた意匠部分とを具備し、機能部分は通常時にはエンジンルーム内と外部とを遮断するシール性を保持しているため、エンジンルーム内の熱気や臭いが車両用カウルルーバに設けられた空気導入口を介して車室内へ侵入することが防止されるとともに、溜まった枯葉や雪等の異物がエンジンルーム内に侵入することが防止され、またエンジンルームが被水する事態も防止される。
【００２０】
そして、機能部分は、車体の衝突時に応力が掛かると破壊される弱体化部位を含んでいることから、弱体化部位は、車体の衝突時に掛かる下向きの荷重によって容易に屈曲して破壊される。この結果、車両衝突時にフード及び／または車両用カウルルーバの意匠部分に下向きの荷重が加わった場合に、反力を殆ど発生させることなく衝突エネルギーを十分に吸収することができる。
【００２１】
ここで、機能部分に弱体化部位を設ける方法としては、機能部分を合成樹脂からなるものとして、弱体化部位を発泡成形させる等の方法が考えられるが、発泡成形等させた部分は外観が悪くなることが多い。しかし、本発明に係る車両用カウルルーバにおいては、機能部分を覆うように意匠部分が設けられていることから、機能部分は外部から見えないため、どのような方法で機能部分に弱体化部位を設けても、車両用カウルルーバの外観は意匠部分のみで評価される。したがって、機能部分に弱体化部位を設ける方法の幅が大きく拡がるとともに、意匠部分が複雑な断面形状を有する場合にも、機能部分は単純な形状として十分なシール性を確保することができ、また低コスト化にもつながる。
【００２２】
このようにして、車両衝突時にフードパネル等に下向きの荷重が加わった場合に、反力を殆ど発生させることなく衝突エネルギーを十分に吸収でき、複雑な断面形状を有する場合にも十分なシール性を有するとともに、外観に制約を受けることなく意匠的にも優れた車両用カウルルーバとなる。
【００２３】
請求項２の発明に係る車両用カウルルーバにおいては、機能部分の弱体化部位は、フードパネルの後端下部及び意匠部分の下部に位置していることから、請求項１に係る発明の効果に加えて、車両衝突時にフードパネルに下向きの荷重が加わった場合にも、また車両用カウルルーバの意匠部分に下向きの荷重が加わった場合にも、確実に反力を殆ど発生させることなく衝突エネルギーを十分に吸収できる。
【００２４】
請求項３の発明に係る車両用カウルルーバにおいては、機能部分は合成樹脂からなり、弱体化部位は発泡部分、薄肉部分、Ｖ字形状部分の少なくとも１つで構成されていることから、請求項１または請求項２に係る発明の効果に加えて、合成樹脂の一回の成形工程で車両用カウルルーバの機能部分が完成するため、製造コストをより一層低減することができる。また、発泡部分は中実部分よりもずっと強度が小さく、薄肉部分は厚肉部分よりもずっと強度が小さく、Ｖ字形状部分は破壊の発生箇所になることから、車体の衝突時には確実に一部または全部が破壊される弱体化部位を構成することができる。
【００２５】
請求項４の発明に係る車両用カウルルーバにおいては、機能部分と意匠部分の間に空隙が設けられていることから、請求項１乃至請求項３に係る発明の効果に加えて、意匠部分に下向きの荷重が加わった場合に、この空隙がクッション層としての役目を果して、より効果的に衝突エネルギーを吸収することができる。
【００２６】
請求項５の発明に係る車両用カウルルーバにおいては、意匠部分には空隙側に尖端を有する突起が設けられていることから、請求項４に係る発明の効果に加えて、意匠部分に下向きの荷重が加わった場合に、空隙がクッション層としての役目を果して、意匠部分が変形して衝突エネルギーを吸収した後に、突起が機能部分に当接すると当接した機能部分が変形して破壊され、更に効果的に衝突エネルギーを吸収することができる。
【００２７】
請求項６に係る発明においては、機能部分は意匠部分の下に少なくとも１つの尖端が設けられるように屈曲していることから、請求項４に係る発明の効果に加えて、意匠部分に下向きの荷重が加わった場合に、空隙がクッション層としての役目を果して、意匠部分が変形して衝突エネルギーを吸収した後に、機能部分に設けられた尖端に応力が集中して破壊され、更に効果的に衝突エネルギーを吸収することができる。
【００２８】
請求項７の発明に係る車両用カウルルーバにおいては、機能部分には１または２以上の開口部が設けられ、開口部にはシール性を保持するように蓋部材が嵌め込まれ、蓋部材は車体の衝突時には開口部から外れることから、請求項１または請求項２に係る発明の効果に加えて、蓋部材が外れた部分には開口部が残され、かかる開口部を有する部分は他の部分に比べて遥かに強度が小さいため、車体の衝突時に掛かる応力によって容易に屈曲して破壊される。この結果、車両衝突時にフードパネルに下向きの荷重が加わった場合に、反力を殆ど発生させることなく衝突エネルギーを十分に吸収することができる。
【００２９】
ここで、蓋部材の素材としては、応力が掛かった場合には開口部から外れる構造さえ有していれば、どのような素材からでも製造できることから、合成樹脂を射出成形法等によって成形してなるもの等とすれば、材料コストも安くしかも大量生産できるため、複雑な断面形状を有する場合にも低コストで製造することができる。更に、発泡樹脂等を用いることによって、使用される合成樹脂はごく少なくて済むことから、原料コストを低減することができるとともに、車両用カウルルーバを軽量化することができる。また、蓋部材の素材の軟らかさを選択することによって、どの程度の応力で破壊されるかを適宜調節することも可能である。
【図面の簡単な説明】
【００３０】
【図１】図１（ａ）は本発明の実施例１に係る車両用カウルルーバの全体構成を、車両の前後方向に沿って切断した断面の一部として示す断面図、（ｂ）は車両衝突時にフードパネルの後端下部及び車両用カウルルーバの意匠部分が下方へ移動して、実施例１に係る車両用カウルルーバの機能部分が破壊された状態を示す断面図である。
【図２】図２は本発明の実施例１の第１変形例に係る車両用カウルルーバの全体構成を、車両の前後方向に沿って切断した断面の一部として示す断面図である。
【図３】図３は本発明の実施例１の第２変形例に係る車両用カウルルーバの全体構成を、車両の前後方向に沿って切断した断面の一部として示す断面図である。
【図４】図４は本発明の実施例１の第３変形例に係る車両用カウルルーバの全体構成を、車両の前後方向に沿って切断した断面の一部として示す断面図である。
【図５】図５（ａ）は本発明の実施例２に係る車両用カウルルーバの全体構成を、車両の前後方向に沿って切断した断面の一部として示す断面図、（ｂ）は車両衝突時にフードパネルの後端下部及び車両用カウルルーバの意匠部分が下方へ移動して、実施例２に係る車両用カウルルーバの機能部分が破壊された状態を示す断面図である。
【発明を実施するための形態】
【００３１】
本発明に係る車両用カウルルーバを実施するための形態においては、弱体化部位を含んで設けられた機能部分と、機能部分の上方に機能部分を覆うように設けられた意匠部分とを具備する必要がある。車両用カウルルーバの特に機能部分は、合成樹脂、中でも熱可塑性樹脂からなることが、射出成型法等による大量生産性及び軽量性の観点から好ましい。
【００３２】
ここで、「合成樹脂」とは、熱可塑性樹脂及び熱硬化性樹脂を意味するものであり、熱可塑性樹脂としては、ポリオレフィン樹脂（ポリエチレン、ポリプロピレン、等）・ポリスチレン・アクリル樹脂（メタクリル樹脂を含む）・ＡＢＳ樹脂・塩化ビニル樹脂・ポリ酢酸ビニル・ポリテトラフルオロエチレン（ＰＴＦＥ）・ポリアミド・ポリアセタール・ポリカーボネート・ポリエステル樹脂等があり、熱硬化性樹脂としては、フェノール樹脂・エポキシ樹脂・メラミン樹脂・尿素樹脂・不飽和ポリエステル樹脂・アルキド樹脂・ポリウレタン・熱硬化性ポリイミド等がある。
【００３３】
また、車両用カウルルーバの意匠部分も、射出成型法等による大量生産性、軽量性及び機能部分との一体化の容易さ等の観点から、合成樹脂、中でも熱可塑性樹脂からなることが望ましい。逆に、車両用カウルルーバの意匠性をより高くするために、意匠部分（特に外側）のみを合成樹脂以外の、より見栄えの良い高級な材料で構成することも可能である。
【００３４】
機能部分に弱体化部位を設ける方法としては、機能部分を合成樹脂の射出成形で製作して、その一部を発泡成形させること、またはその一部を薄肉化させることが、合成樹脂の使用量の削減及び機能部分の軽量化の観点から好ましい。また、一部をＶ字形状に成形しＶ字の尖端に車両衝突時に発生する荷重を集中させることで弱体化を図ることができる。これらの場合、弱体化させる部位としては、縦壁部分や意匠部分の下部が望ましい。車両衝突時に、フード及び／または車両用カウルルーバの意匠部分に下向きの荷重が加わった場合に、最も応力が掛かるのは縦壁部分だからであり、最も変形しやすく変形が大きいのは意匠部分の下部だからである。
【００３５】
機能部分に弱体化部位を設ける他の方法としては、機能部分に１または２以上の開口部を設けて、シール性を保持するように蓋部材を嵌め込み、車体の衝突時には蓋部材が開口部から外れるようにすることもできる。蓋部材が外れて開口部のみが残されると、その部分は弱体化して下向きの荷重によって容易に破壊されるからである。開口部を設ける部位としては、やはり縦壁部分が望ましい。更に、開口部に嵌め込まれる蓋部材には、シール性のみが要求され、強度は要求されないので、蓋部材は合成樹脂の発泡成形で製作することが、合成樹脂の使用量の削減及び蓋部材の軽量化の観点から好ましい。
【００３６】
また、機能部分には、雨樋等の、従来は車両用カウルルーバと別体で製作され、別途取付けられていた別体部品を一体化させることが好ましい。別体部品を機能部分と一体に製作し、一度に取付けることによって、製作コストを低減し製作工程を短縮することができ、これによって、車両用カウルルーバとして機能部分と意匠部分の二つの部品を製作して取付けることによるコストアップを打ち消すことができるからである。
【００３７】
更に、車両用カウルルーバの（機能部分の）前端部分には、弾性素材からなるシール部材を固定することによって、フードパネル後端下部と車両用カウルルーバとが密着して、シール性を確保することができるので、より好ましい。この場合、シール部材は専用のクリップ、または接着剤を用いて機能部分の前端部分に固定される。また、シール部材として、永久磁石及びそれと一体に成形された軟質樹脂またはエラストマーからなるものを用いるか、ゴム磁石（ボンド磁石）からなるものを用いることによって、鋼板製のフードパネルの後端下部に確実に密着してシール性を確保することができ、またシール部材が着脱可能となり、更に製造コストを低減することができるとともに部品点数がより少なくなって、組み立て効率をより向上させることができる。
【００３８】
また、従来の車両用カウルルーバの後端に設けられていた、フロントウィンドウガラスの下端に嵌合して密着するための一対の嵌合部分を、上部は意匠部分の後端に、下部は機能部分の後端に設けることができる。これによって、従来は一対の嵌合部分を成形するためにアンダーカットが生ずることから、成形金型にスライド機構を設ける必要があり、金型構造が複雑になっていたのが、意匠部分にも機能部分にもアンダーカットは生じないため、極めて簡単で低コストの成形金型とすることができる。
【００３９】
更に、車両用カウルルーバを取付ける自動車に右ハンドル車と左ハンドル車がある場合には、機能部分はいずれのワイパー軸も貫通させることができる貫通孔を設けた左右対称形状とし、意匠部分のみを右ハンドル仕様と左ハンドル仕様の二種類用意することが好ましい。これによって、機能部分用の成形金型は一種類で済むため、金型製作費を大幅に節約することができる。
【実施例】
【００４０】
以下、本発明の実施例に係る車両用カウルルーバについて、図面を参照しつつ説明するが、本発明はこれらの実施例によって何らの限定をも受けるものではない。なお、各実施例及び各変形例において、同一の記号及び同一の符号は同一または相当する部分を意味し、実施例相互の同一の記号及び同一の符号は、それら実施例に共通する部分であるから、ここでは重複する詳細な説明を省略する。
【００４１】
実施例１
まず、本発明の実施例１に係る車両用カウルルーバについて、図１乃至図４を参照して説明する。
【００４２】
図１（ａ）は本発明の実施例１に係る車両用カウルルーバの全体構成を、車両の前後方向に沿って切断した断面の一部として示す断面図、（ｂ）は車両衝突時にフードパネルの後端下部及び車両用カウルルーバの意匠部分が下方へ移動して、実施例１に係る車両用カウルルーバの機能部分が破壊された状態を示す断面図である。図２は本発明の実施例１の第１変形例に係る車両用カウルルーバの全体構成を、車両の前後方向に沿って切断した断面の一部として示す断面図である。図３は本発明の実施例１の第２変形例に係る車両用カウルルーバの全体構成を、車両の前後方向に沿って切断した断面の一部として示す断面図である。図４は本発明の実施例１の第３変形例に係る車両用カウルルーバの全体構成を、車両の前後方向に沿って切断した断面の一部として示す断面図である。
【００４３】
図１（ａ）に示されるように、本実施例１に係る車両用カウルルーバ１は、車体のフードパネル２の後端下部と、フロントウィンドウガラス３の下端との間に設けられるものであり、意匠部分４及び機能部分５の二つの部分から構成されている。意匠部分４及び機能部分５のいずれも、熱可塑性樹脂としてのポリプロピレン（ＰＰ）を一体に射出成形してなり、後述するように、機能部分５の一部は発泡成形されている。機能部分５の前端は、車体のフードパネル２の後端下方まで延びており、機能部分５の前端上部には、合成ゴムとしてのスチレンブタジエンゴム（ＳＢＲ）からなるシール部材７が、接着剤（熱硬化性樹脂）によって接着されている。このシール部材７は、図１（ａ）の紙面垂直方向に棒状に延びている。
【００４４】
また、図１（ａ）に示されるように、機能部分５は、フードパネル２の下部に位置してシール部材７を接着するフードパネル２と略平行な平面を備えた接着部９Ａと、接着部９Ａからカウル８に向かって略Ｕ字形状の雨水を流す通路部９Ｂと、通路部９Ｂからフロントウィンドウガラス３に向かって延びてフロントウィンドウガラス３の下側を押える下側押え部を有する底部９Ｃとを備えている。通路部９Ｂは、略Ｕ字形状の二つの直線部に相当する直立部分（縦壁）５ｂによって接着部９Ａの後端と底部９Ｃの前端に繋がっている。また、通路部９Ｂからフロントウィンドウガラス３に向かって延びる底部９Ｃは下に湾曲した形状をしているため、通路部９Ｂと底部９Ｃの連結部分は凸形状をしている。
【００４５】
意匠部分４は、通路部９Ｂの底部９Ｂａに繋がる直立部分５ｂを延長した線上に延びた壁部１０Ａと、壁部１０Ａからフロントウィンドウガラス３に向かって所望の形状に設計された意匠部１０Ｂと、フロントウィンドウガラス３の上側を押える上側押え部１０Ｃとを備えている。そして、意匠部分４と機能部分５は、機能部分５の通路部９Ｂと底部９Ｃの連結部分である凸形状をした端部１ｂで意匠部分４の壁部１０Ａと、またフロントウィンドウガラス３の近傍の１ａで意匠部分４の意匠部１０Ｂと機能部分５の底部９Ｃをそれぞれ熱カシメ等によって熱溶着して固定している。
【００４６】
また、意匠部分４の意匠部１０Ｂと機能部分５の底部９Ｃの間には空間が生ずるように、意匠部１０Ｂと底部９Ｃの形状を設計している。つまり、意匠部分４の意匠部１０Ｂと機能部分５との間には、空隙１ｃが存在している。機能部分５はＰＰ樹脂を射出成形して形成され、二箇所の直立部分（縦壁）５ｂはＰＰ樹脂を発泡させて成形されていて、一箇所はフードパネル２の下部に位置し、もう一箇所は意匠部分４の壁部１０Ａの下部に位置し、ともに車体の衝突時に応力が掛かりやすい部位に設けられている。
【００４７】
更に、図１（ａ）に示されるように、機能部分５の後端には雨樋５ｃが設けられており、この雨樋５ｃは、図１（ａ）の紙面垂直方向に連続的に延びている。この機能部分５の雨樋５ｃの所定の部分に設けられた下側押え部と、意匠部分４の後端がそのまま延びてなる上側押え部１０Ｃとが、フロントウィンドウガラス３の下端の両面に嵌合して密着しており、車両用カウルルーバ１とフロントウィンドウガラス３との間がシールされている。このように、機能部分５に、従来は車両用カウルルーバ１と別体で製作され、別途取付けられていた別体部品である雨樋５ｃを一体化させて、機能部分５と一体に製作し一度に取付けることによって、製作コストを低減し製作工程を短縮することができ、これによって、車両用カウルルーバ１において機能部分５と意匠部分４の二つの部品を製作して取付けることによるコストアップを打ち消すことができる。
【００４８】
ここで、機能部分５の下側押え部の形状には、少なくとも二通りあって、一つは（ａ１）の円内に示されるように、雨樋５ｃから離れた内側に機能部分５と一体に設けられた下側押え部５ｄである。（ａ１）の円内に示されるこの下側押え部５ｄは、雨樋５ｃが紙面垂直方向に連続的に設けられているのとは異なり、紙面垂直方向にピッチ１５０ｍｍごとに１０ｍｍの幅で爪状に形成されている。したがって、フロントウィンドウガラス３の下端の両面は、図１（ａ）の紙面垂直方向に連続的に延びた上側押え部１０Ｃと、紙面垂直方向に沿って１５０ｍｍごとに形成された下側押え部５ｄとの間に挟まれている。
【００４９】
機能部分５の下側押え部のもう一つの形状は、（ａ２）の円内に示されるように、雨樋５ｃの面から立ち上がって、フロントウィンドウガラス３の下面を押さえつける下側押え部５ｅである。この下側押え部５ｅも、紙面垂直方向にピッチ１５０ｍｍごとに１０ｍｍの幅で形成されている。このような形状の下側押え部５ｅを設ける場合のメリットとして、この形状であれば機能部分５の全体形状のどこにもアンダーカットが生じないため、成形品の取出しのために金型にスライド機構を設ける必要がなく、したがって、機能部分５用の射出成形用金型の構造が極めて簡単になり、成形金型のコストを大幅に下げることができる点がある。
【００５０】
そして、図１（ａ）に示されるように、意匠部分４と機能部分５とは、それぞれの後端の近傍１ａにおいても、熱カシメによって互いに溶着されている。なお、本実施例１に係る車両用カウルルーバ１においては、意匠部分４と機能部分５とを熱カシメによって互いに溶着させているが、超音波溶着等の他の方法によって溶着しても良い。また、意匠部分４と機能部分５とを一体化させる方法としては、溶着に限られるものではなく、例えば予め設けられた嵌合部材によって、意匠部分４と機能部分５とを嵌合させて一体化させることもできる。
【００５１】
かかる構造を有することによって、図１（ａ）に示されるように、本実施例１に係る車両用カウルルーバ１は、機能部分５の前端部分である接着部９Ａと通路部９Ｂ、シール部材７、及び機能部分５の通路部９Ｂの底部９Ｂａに係合したカウル８によって、通常時にはエンジンルーム内と外部とを遮断するシール性が保持されている。このため、エンジンルーム内の熱気や臭いが車両用カウルルーバ１に設けられた空気導入口（図示省略）を介して車室内へ侵入することが防止されるとともに、溜まった枯葉や雪等の異物がエンジンルーム内に侵入することが防止され、またエンジンルームが被水する事態も防止される。
【００５２】
このような本実施例１に係る車両用カウルルーバ１が、車両の衝突時による衝突エネルギーを受けた場合の変形の様子について、図１（ｂ）を参照して説明する。図１（ｂ）に示されるように、車両の衝突時に車両の下方に向かって掛かる応力（荷重）としては、フードパネル２の後端に掛かる応力Ｆと、車両用カウルルーバ１の上面（意匠部分４）に掛かる応力Ｆとがある。
【００５３】
図１（ｂ）に示されるように、車両の衝突時にフードパネル２に衝突エネルギーが掛かることによって、図１（ｂ）における下方向に応力Ｆが掛かってフードパネル２の後端下部が下方に移動すると、フードパネル２の下方に配された通路部９Ｂの縦壁部分は、多数の気泡を有するために強度的に中実部分５ａより遥かに劣る発泡部分５ｂが応力Ｆによって容易に変形して破壊され、殆ど反力を生ずることがない。これによって、衝突エネルギーを十分に吸収することができる。
【００５４】
同様に、図１（ｂ）に示されるように、車両の衝突時に車両用カウルルーバ１の上面（意匠部分４）に下方向に応力Ｆが掛かると、意匠部分４と機能部分５の間に空隙１ｃが設けられているため意匠部分４は応力Ｆによって変形し、この変形に伴って変形に要した力だけ衝突エネルギーが吸収される。更に、意匠部分４の壁部１０Ａを伝って、応力Ｆから意匠部分４の変形に使われた残りのエネルギー（応力）が、壁部１０Ａの下に配された機能部分５の通路部９Ｂの縦壁に作用する。この縦壁の発泡部分５ｂは中実部分５ａより強度が劣るため容易に変形して破壊され、壁部１０Ａに加わったエネルギーを吸収する。
【００５５】
このように、意匠部分４に掛かった衝突エネルギーは、意匠部分４自体の変形と、意匠部分４の下部に位置する機能部分５の縦壁の変形・破壊によって、効率良く吸収される。なお、本実施例１では機能部分５の直立部分（縦壁）の弱体化を発泡によって行っているが、部分的に縦壁の厚みを中実部分の厚みより薄くする薄肉化や、部分的にＶ字形状にしてＶ字尖端に応力を集中させることによっても、同様の効果が得られる。
【００５６】
次に、本実施例１の第１変形例に係る車両用カウルルーバについて、図２を参照して説明する。図２に示されるように、本実施例１の第１変形例に係る車両用カウルルーバ１Ａの全体構造は、上記実施例１に係る車両用カウルルーバ１とほぼ同様である。異なるのは、意匠部分４Ａの前端である壁部１０ＡＡの下方には、機能部分５Ａに弱体化部位としての発泡部分５ｂが設けられておらず、その代わりに意匠部分４Ａの意匠部１０ＡＢの中間部分の下方に、弱体化部位としてのＶノッチ部５Ａａが設けられている点である。
【００５７】
これによって、車両の衝突時にフードパネル２に衝突エネルギーが掛かることによって、図２における下方向に応力が掛かってフードパネル２の後端下部が下方に移動すると、多数の気泡を有するために強度的に中実部分５ａより遥かに劣る発泡部分５ｂが、フードパネル２の下方には上記実施例１と同様に設けられているため、応力によって容易に変形して破壊され、殆ど反力を生ずることがない。これによって、衝突エネルギーを十分に吸収することができる。
【００５８】
同様に、車両の衝突時に車両用カウルルーバ１Ａの上面（意匠部分４Ａ）に、下方向に応力が掛かると意匠部分４Ａの意匠部１０ＡＢが変形し、弱体化部位としてのＶノッチ部５Ａａが意匠部分４Ａに押されて変形し、割れ起点となって機能部分５ＡがＶノッチ部５Ａａから容易に破壊され、殆ど反力を生ずることがない。これによって、衝突エネルギーを十分に吸収することができる。
【００５９】
ここで、Ｖノッチ部５Ａａは意匠部分４Ａと機能部分５Ａとの間に設けた空隙１ｃ側に尖端が向かい、意匠部１０ＡＢの変形と、この意匠部１０ＡＢの変形に伴ってＶノッチ部５Ａａの尖端が意匠部に押圧されて破壊することで衝突エネルギーを吸収しているが、Ｖノッチ部５Ａａの尖端を空隙１ｃ側と反対の面に設けることもできる。この場合、意匠部１０ＡＢが変形すると、機能部分５Ａの底部９ＡＣは意匠部分４Ａに固定されているため底部９ＡＣが変形し、この底部９ＡＣの変形による応力がＶノッチ部５Ａａの尖端に集中してＶノッチ部５Ａａが破壊されるため、破壊のメカニズムが異なる。
【００６０】
次に、本実施例１の第２変形例に係る車両用カウルルーバについて、図３を参照して説明する。図３に示されるように、本実施例１の第２変形例に係る車両用カウルルーバ１Ｂの全体構造も、上記実施例１に係る車両用カウルルーバ１とほぼ同様である。異なるのは、意匠部分４Ｂの前端である壁部１０ＢＡの下方には、機能部分５Ｂに弱体化部位としての発泡部分５ｂが設けられておらず、その代わりに意匠部分４Ｂの意匠部１０ＢＢの中間部分の下方に、弱体化部位としての薄肉部５Ｂａが設けられている点である。
【００６１】
また、図３に示されるように、本実施例１の第２変形例に係る車両用カウルルーバ１Ｂにおいては、スチレンブタジエンゴム（ＳＢＲ）からなるシール部材７の代わりに、シール部材７Ｂを用いている。このシール部材７Ｂは、図３の紙面垂直方向に伸びる棒状のフェライト磁石７ａを、合成ゴムとしてのＳＢＲ７ｂで一体に成形してなるもので、やはり紙面垂直方向に棒状に伸びている。これによって、シール部材７Ｂが鋼板製のフードパネル２の後端下部に確実に密着してシール性を確保することができ、またシール部材７Ｂがフードパネル２に対して着脱可能となり、更に部品点数を少なくして組み立て効率を向上させることができる。
【００６２】
ここで、フェライト磁石７ａの代わりに、他の「永久磁石」としてアルニコ磁石・ネオジム磁石等を用いることができ、ＳＢＲ７ｂの代わりに、「軟質樹脂」としてポリ塩化ビニル・ポリオレフィン系軟質樹脂・アクリル系軟質樹脂等を用いることができ、「エラストマー」には天然ゴム、合成ゴム及び熱可塑性エラストマーがあり、合成ゴムとして具体的には、アクリルゴム・アクリロニトリルブタジエンゴム（ＮＢＲ）・イソプレンゴム・ウレタンゴム・エチレンプロピレンゴム・エピクロルヒドリンゴム・クロロプレンゴム・シリコーンゴム・ブタジエンゴム・フッ素ゴム・ブチルゴム等を用いることができる。
【００６３】
これによって、車両の衝突時にフードパネル２に衝突エネルギーが掛かることによって、図３における下方向に応力が掛かってフードパネル２の後端下部が下方に移動すると、多数の気泡を有するために強度的に中実部分５ａより遥かに劣る発泡部分５ｂが、フードパネル２の下方には上記実施例１と同様に設けられているため、応力によって容易に変形して破壊され、殆ど反力を生ずることがない。これによって、衝突エネルギーを十分に吸収することができる。
【００６４】
同様に、車両の衝突時に車両用カウルルーバ１Ｂの上面（意匠部分４Ｂ）に、下方向に応力が掛かると、意匠部分４Ｂが変形し、更に意匠部分４Ｂの変形に伴って意匠部分４Ｂに固定された機能部分５Ｂの底部９ＢＣが変形する。これら意匠部分４Ｂの変形と機能部分５Ｂの変形によって衝突時の応力が効果的に吸収されるとともに、機能部分５Ｂの底部９ＢＣに設けた弱体化部位としての薄肉部５Ｂａが応力によって変形し、割れ起点となって機能部分５Ｂが薄肉部５Ｂａから容易に破壊され、殆ど反力を生ずることがない。これによって、衝突エネルギーを十分に吸収することができる。
【００６５】
次に、本実施例１の第３変形例に係る車両用カウルルーバについて、図４を参照して説明する。図４に示されるように、本実施例１の第３変形例に係る車両用カウルルーバ１Ｃの全体構造も、上記実施例１に係る車両用カウルルーバ１とほぼ同様である。異なるのは、意匠部分４Ｃの前端の下方には、機能部分５Ｃに弱体化部位としての発泡部分５ｂが設けられておらず、その代わりに意匠部分４Ｃの意匠部１０ＣＢの中間部分の下面に、楔形状の突起４Ｃａが設けられている点である。
【００６６】
これによって、車両の衝突時にフードパネル２に衝突エネルギーが掛かることによって、図４における下方向に応力が掛かってフードパネル２の後端下部が下方に移動すると、多数の気泡を有するために強度的に中実部分５ａより遥かに劣る発泡部分５ｂが、フードパネル２の下方には上記実施例１と同様に設けられているため、応力によって容易に変形して破壊され、殆ど反力を生ずることがない。これによって、衝突エネルギーを十分に吸収することができる。
【００６７】
同様に、車両の衝突時に車両用カウルルーバ１Ｃの上面（意匠部分４Ｃ）に、下方向に応力が掛かると、意匠部分４Ｃの変形によって衝突エネルギーを吸収しながら、意匠部１０ＣＢの突起４Ｃａが機能部分５Ｃの底部９ＣＣに向かって移動する。そして、突起４Ｃａが底部９ＣＣに当接すると、当接した箇所から、突起４Ｃａに押されることによって割れが発生し、割れ起点となって機能部分５Ｃが突起４Ｃａによって容易に破壊され、殆ど反力を生ずることがない。これによって、衝突エネルギーを十分に吸収することができる。
【００６８】
以上、図１乃至図４について説明したように、本実施例１及びその変形例に係る車両用カウルルーバ１，１Ａ，１Ｂ，１Ｃは、弱体化部位を有する機能部分５，５Ａ，５Ｂ，５Ｃが意匠部分４，４Ａ，４Ｂ，４Ｃによって覆われているために、弱体化部位を設ける方法について限定されず、機能部分５，５Ａ，５Ｂ，５Ｃの外観を気にすることなく設計することができる。
【００６９】
このようにして、本実施例１及びその変形例に係る車両用カウルルーバ１，１Ａ，１Ｂ，１Ｃは、車両衝突時にフードパネル２等に下向きの荷重が加わった場合に、反力を殆ど発生させることなく衝突エネルギーを十分に吸収でき、複雑な断面形状を有する場合にも十分なシール性を有するとともに、外観に制約を受けることなく意匠的にも優れたものとなり、構造が簡単、かつ軽量で、低コストで製造することができる。
【００７０】
また、本実施例１及びその変形例に係る車両用カウルルーバ１，１Ａ，１Ｂ，１Ｃは、全体が熱可塑性樹脂であるポリプロピレンからなることによって、車両用カウルルーバに要求される剛性・耐候性・低コスト性・リサイクル性を容易に満たすことができるとともに、射出成形によって発泡部分５ｂを中実部分５ａと一体に成形することができ、部品点数がより少なくなって、組み立て効率をより向上させることができる。
【００７１】
実施例２
次に、本発明の実施例２に係る車両用カウルルーバについて、図５を参照して説明する。図５（ａ）は本発明の実施例２に係る車両用カウルルーバの全体構成を、車両の前後方向に沿って切断した断面の一部として示す断面図、（ｂ）は車両衝突時にフードパネルの後端下部及び車両用カウルルーバの意匠部分が下方へ移動して、実施例２に係る車両用カウルルーバの機能部分が破壊された状態を示す断面図である。
【００７２】
図５（ａ）に示されるように、本実施例２に係る車両用カウルルーバ１１は、車体のフードパネル２の後端下部と、フロントウィンドウガラス３の下端との間に設けられるものであり、意匠部分１４及び機能部分１５の二つの部分から構成されている。意匠部分１４及び機能部分１５のいずれも、熱可塑性樹脂としてのポリプロピレン（ＰＰ）を一体に射出成形してなり、後述するように、機能部分１５には複数の開口部が設けられている。機能部分１５の前端は、車体のフードパネル２の後端下方まで延びており、機能部分１５の前端上部には、シール部材１７が、接着剤（熱硬化性樹脂）によって接着されている。
【００７３】
このシール部材１７は、フェライト磁石を粉砕して合成ゴムに練り込んだ、柔軟性を有するゴム磁石（ボンド磁石）であり、このゴム磁石は、図５（ａ）の紙面垂直方向に棒状に延びている。
【００７４】
そして、図５（ａ）に示されるように、機能部分１５には上記実施例１に示したように通路部１９Ｂの直立した部分（縦壁）、すなわち車体の衝突時に応力が掛かる部位には、複数の矩形の開口部１６が設けられており、これらの矩形の開口部１６には発泡成形されたＰＰ樹脂からなる矩形の蓋部材１５ｂが、蓋部材１５ｂの爪部分が開口部１６に係合することによって、シール性を保持するように嵌め込まれている。また、機能部分１５の底部の下面に設けられた係合部１６ａには、カウル８の上端が係合している。
【００７５】
更に、図５（ａ）に示されるように、機能部分１５の後端には雨樋１５ｃが設けられており、この雨樋１５ｃは、図５（ａ）の紙面垂直方向に連続的に延びている。このように、機能部分１５に、従来は車両用カウルルーバ１１と別体で製作され、別途取付けられていた別体部品である雨樋１５ｃを一体化させて、機能部分１５と一体に製作し一度に取付けることによって、製作コストを低減し製作工程を短縮することができ、これによって、車両用カウルルーバ１１において機能部分１５と意匠部分１４の二つの部品を製作して取付けることによるコストアップを打ち消すことができる。
【００７６】
この機能部分１５の雨樋１５ｃの部分に設けられた下側押え部と、意匠部分１４の後端がそのまま延びてなる上側押え部２０Ｃとが、フロントウィンドウガラス３の下端の両面に嵌合して密着しており、車両用カウルルーバ１１とフロントウィンドウガラス３との間がシールされている。下側押え部の構造については、上記実施例１と同様である。そして、意匠部分１４は壁部２０Ａが機能部分１５と接続する前端部１１ｂ及び後端近傍１１ａにおいて、熱カシメによって機能部分１５に溶着され、意匠部分１４と機能部分１５の間には空間があり、空隙１１ｃが設けられている。
【００７７】
かかる構造を有することによって、図５（ａ）に示されるように、本実施例２に係る車両用カウルルーバ１１は、機能部分１５の前端部分すなわち中実部分１５ａと開口部１６に嵌合した蓋部材１５ｂ、シール部材１７、及び機能部分１５の底面に係合したカウル８によって、通常時にはエンジンルーム内と外部とを遮断するシール性が保持されている。したがって、エンジンルーム内の熱気や臭いが車両用カウルルーバ１１に設けられた空気導入口（図示省略）を介して車室内へ侵入することが防止されるとともに、溜まった枯葉や雪等の異物がエンジンルーム内に侵入することが防止され、またエンジンルームが被水する事態も防止される。
【００７８】
このような本実施例２に係る車両用カウルルーバ１１が、車両の衝突時による衝突エネルギーを受けた場合の変形の様子について、図５（ｂ）を参照して説明する。図５（ｂ）に示されるように、車両の衝突時に車両の下方に向かって掛かる応力（荷重）としては、フードパネル２の後端に掛かる応力Ｆと、車両用カウルルーバ１１の上面（意匠部分１４）に掛かる応力Ｆとがある。
【００７９】
図５（ｂ）に示されるように、車両の衝突時にフードパネル２に衝突エネルギーが掛かることによって、図５（ｂ）における下方向に応力Ｆが掛かってフードパネル２の後端下部が下方に移動すると、応力Ｆによって蓋部材１５ｂは開口部１６から外れて当該部分には開口部１６が残され、かかる開口部１６を有する部分は他の部分に比べて遥かに強度が小さいため、応力Ｆによって容易に屈曲して破壊される。この結果、車両衝突時にフードパネル２に下向きの荷重Ｆが加わった場合に、反力を殆ど発生させることなく衝突エネルギーを十分に吸収することができる。
【００８０】
同様に、図５（ｂ）に示されるように、車両の衝突時に車両用カウルルーバ１１の意匠部分１４の上方突出部に下方向に応力Ｆが掛かると、図５（ｂ）における下方向に応力Ｆが掛かって、意匠部分１４が変形するとともに、蓋部材１５ｂは開口部１６から外れて当該部分には開口部１６が残され、かかる開口部１６を有する部分は他の部分に比べて遥かに強度が小さいため、応力Ｆによって容易に屈曲して破壊される。この結果、車両衝突時に車両用カウルルーバ１１の意匠部分１４の上方突出部に下向きの荷重Ｆが加わった場合に、反力を殆ど発生させることなく衝突エネルギーを十分に吸収することができる。
【００８１】
このようにして、本実施例２に係る車両用カウルルーバ１１は、車両衝突時にフードパネル２等に下向きの荷重が加わった場合に、反力を殆ど発生させることなく衝突エネルギーを十分に吸収でき、複雑な断面形状を有する場合にも十分なシール性を有するとともに、外観に制約を受けることなく意匠的にも優れたものとなり、構造が簡単、かつ軽量で、低コストで製造することができる。
【００８２】
また、本実施例２に係る車両用カウルルーバ１１は、全体が熱可塑性樹脂であるポリプロピレンからなることによって、車両用カウルルーバ１１に要求される剛性・耐候性・低コスト性・リサイクル性を容易に満たすことができるとともに、射出成形によって意匠部分１４・機能部分１５・蓋部材１５ｂを大量に成形することができ、製造コストが低下し、また部品点数が少なくなって、組み立て効率をより向上させることができる。
【００８３】
更に、本実施例２に固有の効果として、蓋部材１５ｂを発泡成形されたポリプロピレン（ＰＰ）から構成したことによって、ＰＰ樹脂材料が少なくて済み、より低コスト化できるとともに、車両用カウルルーバ１１を軽量化することができる。
【００８４】
上記各実施例においては、車両用カウルルーバ１，１Ａ，１Ｂ，１Ｃ，１１の大部分を構成する材料として、熱可塑性樹脂であるポリプロピレン（ＰＰ）を使用した場合についてのみ説明したが、熱可塑性樹脂としては他にも、ポリエチレン・ポリスチレン・アクリル樹脂・ＡＢＳ樹脂・塩化ビニル樹脂・ポリ酢酸ビニル・ポリアミド・ポリアセタール・ポリカーボネート・ポリエステル樹脂等を用いることができる。また、成形方法は射出成形法に限られるものではなく、更に材質も熱可塑性樹脂に限られるものではない。
【００８５】
本発明を実施するに際しては、車両用カウルルーバのその他の部分の構成、材質、形状、数量、大きさ、製造方法等についても、上記各実施例に限定されるものではない。なお、本発明の実施例で挙げている数値は臨界値を示すものではなく、実施に好適な好適値を示すものであるから、上記数値を若干変更してもその実施を否定するものではない。
【符号の説明】
【００８６】
１，１Ａ，１Ｂ，１Ｃ，１１  車両用カウルルーバ
２  フードパネル
３  フロントウィンドウガラス
４，４Ａ，４Ｂ，４Ｃ，１４  意匠部分
５，５Ａ，５Ｂ，５Ｃ，１５  機能部分
【図１】
2011073566.tif 000003
【図２】
2011073566.tif 000004
【図３】
2011073566.tif 000005
【図４】
2011073566.tif 000006
【図５】
2011073566.tif 000007